Podtech/llm-jp-corpus-v4-ja_patent huggingface dataset:
(57)【要約】      （修正有）【課題】ライブ中継をより簡易に実現するライブ動画配信システムを提供する。【解決手段】撮影された動画像のデータを受信する中継画像受信手段１を備え、中継画像受信手段により受信された動画像データを各種端末３に表示させる。中継画像受信手段１は、複数の撮影装置２により撮影された複数の動画像データを受信し、配信すべき動画像データを切り替える。中継画像受信手段１は、複数の撮影装置から複数の動画像データを受信し、これらの撮影装置それぞれの撮影位置に基づいて配列した状態で配信する。【選択図】図１
2015220743.tif 000002
【特許請求の範囲】
【請求項１】
当該施設、会場の撮影装置から画像受信装置、インターネットを介して視聴者端末にライブ動画を配信するシステム。
【請求項２】
本システムにあっては、Ｗｅｂアプリケーションを使用することで、受信者側では送信されたＵＲＬを開くことでライブ動画、動画、静止画をすぐに見ることができる。
【請求項３】
また、配信に当たっては、各種端末を限定することなく配信できる。
【請求項４】
本システムを利用して情報伝達することで、配信者側、受信者側に有益な情報をもたらすことができる。
【発明の詳細な説明】
【技術分野】
【０００１】本発明は、動画像を撮影又は配信する方法に関する。
【背景技術】
【０００２】例えば、特許文献１には、複数のカメラにより撮影された画像情報を、ネットワークを介してクライアントに配信する画像配信システムが開示されている。
【先行技術文献】
【特許文献】
【特許文献】特開２００２−３５４４６４号公報
【発明の概要】
【発明が解決しようとする課題】
【０００３】本発明は、ライブ動画を用いて商品紹介、イベント紹介をインターネットを介して配信するライブ動画配信に関するビジネスモデル。
配信側、視聴側がお互いに簡単に配信、視聴できるシステムを使ってよりリアルタイムな情報を配信することを目的とする。
【課題を解決するための手段】
【０００４】上記目的を達成するために、本発明に係るライブ動画配信システムは、撮影された動画像のデータを受信する中継画像受信手段と、前記中継画像受信手段により受信された動画像データを各種端末に表示させる。【０００５】前記中継画像受信手段は、複数の撮影装置により撮影された複数の動画像データを受信し、配信すべき動画像データを切り替える。【０００６】前記中継画像受信手段は、複数の撮影装置から複数の動画像データを受信し、これらの撮影装置それぞれの撮影位置に基づいて配列した状態で配信する。
【発明の効果】
【０００７】本発明によれば、従来のメール文書や写真による情報伝達に比べ、Ｗｅｂアプリケーションを使用することで、簡単でタイムリーにわかりやすく映像で伝えることができ、より正確な情報伝達をすることで、配信者側、受信者側に有益な情報をもたらすことができる。
【図面の簡単な説明】
【０００８】
【図１】ライブ動画配信システムの構成を模式的に説明する図である。
【発明を実施するための形態】
【０００９】［システム構成］
まず、ライブ動画配信システムの全体構成を説明する。
図１は、ライブ配信システムの構成を模式的に説明する図である。
図１に例示するように、画像受信装置１はインターネットと接続可能な各種端末３からアクセスする機能を有する。
【００１０】撮影装置２と画像受信装置１をつないで、画像受信装置１が蓄積し、インターネット４を介して各種端末３に配信する。
【００１１】各種端末３は、インターネット４に接続可能な端末で、パソコン、タブレット、スマートフォン、携帯電話である。
【００１２】画像受信装置１は、撮影装置２により撮影された動画像を、各種端末３に配信するコンピュータシステムである。本例のライブ動画配信システムは、インターネット４を介して、複数の各種端末３と接続している。
【実施例１】ライブ会場（例えば展示場、会議場、催事場、祭事場など）において、製品発表会、会議、説明会、お祭りなどの様子を配信するシステム。
【実施例２】ショッピングモール、複合商業施設において、施設のポータルサイトでメール会員に対してテナントやイベントの紹介を配信するシステム。
【実施例３】保育施設において、子供の様子を確認するシステム。
【実施例４】アミューズメント施設、金融機関窓口において、防犯のための遠隔で監視するシステム。
【実施例５】病院、介護施設において、入院者の様子等を確認するシステム。
【実施例６】防災のために河川等の状況を監視するシステム。
【実施例７】大学、講演会、塾等の教育現場において、講義内容、講演内容、授業内容等を受講者、生徒に配信するシステム。
【実施例８】公共工事、建築現場において、工程の進捗状況を監督官庁、施工主に配信するシステム。
【実施例９】報道機関において、事件、事故等の状況を即時に配信するシステム。
【符号の説明】
【００１３】１・・・画像受信装置
２・・・撮影装置
３・・・各種端末
４・・・インターネット
【図１】
2015220743.tif 000003
(57)【要約】【課題】外部機器への電力供給が可能且つ利用環境に合った形に変形可能な懐中電灯を提供すること。【解決手段】本発明は、電源部は外部へ給電するためのコンセントを有し、発光部は変形可能な物体（例えば、アルミ針金）に固定されていることを最も主要な特徴とする。前述電源部は外部給電に必要な電圧変換回路と保護回路を有する。コンセントのタイプはＵＳＢのＴＹＰＥ−Ａソケット、シガーソケット、ＡＣ電源ソケット等、標準化作業等によって、電気と機械仕様が公開されている限り、何でも構わない。前述のコンセントと回路の一部は、電源部から取り外せるようにしても構わない。【選択図】図１
2015220042.tif 000002
【特許請求の範囲】
【請求項１】
外部機器への電力供給が可能なコンセントを有する電気エネルギーを供給する電源部と電気エネルギーを電磁波に変換する発光部が含まれることを特徴とする携帯可能な照明装置。
【請求項２】
発光部は変形できる物体に固定されていることを特徴とする請求項１記載の装置。
【請求項３】
変形できる物体はアルミ針金であることを特徴とする請求項２記載の装置。
【発明の詳細な説明】
【技術分野】
【０００１】
本発明は、外部機器への電力供給が可能且つ利用環境に合った形に変形可能な懐中電灯に関するものである。
【背景技術】
【０００２】
近年、電池と発光体の高性能化と小型軽量化が高速に進んでいる。特にＬｉ−ｉｏｎ電池とＬＥＤ発光体の技術進歩が著しく、懐中電灯の大幅な改良を可能にした。
【０００３】
従来の日常やレジャー利用に加え、近年防災意識の高まりとＤＩＹと自転車ブームにより、懐中電灯に新たな要求が生まれた。  
【０００４】
例えば、両手が使いたいとの要求が生まれた。それを応えるため、ストラップライトが現れた。
【０００５】
しかし、電池容量や光線量や指向性など、従来懐中電灯を代替することができず、いろんな状況に対処するため、結局複数のライトを持ち歩くしかなく、面倒である。且つ、懐中電灯の電源は外部に提供できないため、モバイル電源も別に持つ必要がある。
【先行技術文献】
【特許文献】
【０００６】
【特許文献１】特開２００４−２３５０７４号公報
【特許文献２】実用新案登録第３１４１０６４号公報
【非特許文献】
【０００７】
【非特許文献１】日本照明工業会  ＬＥＤシーリングライトの適用畳数の表示基準
【非特許文献２】ＪＩＳ  Ｃ  ９５０２  自転車用灯火装置
【非特許文献３】ＵＳＢフォーラム  規格  電力供給  http://www.usb.org/developers/powerdelivery/
【発明の概要】
【発明が解決しようとする課題】
【０００８】
解決しようとする問題点は、いろんな状況に対処するために複数のライトとモバイル電源を持ち歩かなければならないことである。
【課題を解決するための手段】
【０００９】
本発明は、電源部は外部へ給電するためのコンセントを有し、発光部は変形可能な物体（例えば、アルミ針金）に固定されていることを最も主要な特徴とする。前述電源部は外部給電に必要な電圧変換回路と保護回路を有する。コンセントのタイプはＵＳＢのＴＹＰＥ−Ａソケット、シガーソケット、ＡＣ電源ソケット等、標準化作業等によって、電気と機械仕様が公開されている限り、何でも構わない。前述のコンセントと回路の一部は、電源部から取り外せるようにしても構わない。
【発明の効果】
【００１０】
本発明の懐中電灯は、光のみならず、電力も供給である一方、身体（肩や腕や頭など）に固定したり、地面に置いたりして、両手が使えるようにすることができる。さらに、発光部が狭いところに置かれた物体にも近づけることが可能であり、エネルギー効率よく照射することができる。
【図面の簡単な説明】
【００１１】
【図１】図１は懐中電灯の実施方法を示した説明図である。（実施例１）
【発明を実施するための形態】
【００１２】
外部へ給電可能で両手が自由に使える目的を、最小の部品点数で実現した。
【実施例１】
【００１３】
図１は、本発明装置の実施例１の説明図であって、１は、電源部、２は発光部、３は外部へ電力供給用コンセント、４はアルミ針金、５はコネクタ、６はスイッチである。
【００１４】
４を図に示した形状に折り曲げて、５のコネクタを３のコンセントへ差し込んで、６のスイッチを付けば、デスク照明として使える。照明が不要なときに、５のコネクタを３から抜いて、３のコンセントによって、外部へ電力を供給可能である。
【産業上の利用可能性】
【００１５】
機械の修理等で複雑な構造物の内部を照らすときに有用と思われる。
【符号の説明】
【００１６】
１    電源部
２    発光部
３    電力供給コンセント
４    アルミ針金
５    コネクタ
６    スイッチ
【図１】
2015220042.tif 000003
(57)【要約】【課題】  発電機の小型化及び発電効率又環境の負荷を軽減する事と小さな面積にも設置できる発電機の開発。【解決手段】小さな力で発電する為、永久磁石を回転ドラム外部円周に設置し永久磁石の極性逆転と等間隔配置によって遅い回転でも効率発電出来る発電機、又流体を横から投入する事によって回転効率がよく直列配置を可能にした発電機。【選択図】図１
2015220973.tif 000002
【特許請求の範囲】
【請求項１】
中心軸が無い回転ドラム内面に流体ブレードを配置し、流体を中心より供給し横からの流体圧力を回転に変えた流体の慣性質量により回転エネルギー得る回転ドラム。
【請求項２】
非磁性体材リングに磁石の極性を交互に配置し、単体磁石の両極作用により、磁化する最小限の鉄片及びコアにより、磁力を有効利用した電磁コイル発電装置。
【請求項３】
回転ドラムを磁力により上方向に浮上させ回転摩擦を減らし、ドラムの回転と磁石の間をくっつかないように、コイル側にコロを使った電磁コイル発電装置。
【請求項４】
モーター型の従来の発電方式を使わない発電。
【発明の詳細な説明】
【技術分野】
【０００１】本発明は中心回転軸を設けず、磁石を取り付けた回転ドラムを回転させ磁石部分と、発電コイルとの間に磁場を発生させ発電する。回転ドラムとコイルの間は非接触で回転抵抗が小さく、小さな外力で発電できる。又中心軸が無い事により中心部からの動力を回転ドラムの外周部に伝達でき小さな動力で効率のよい発電が可能となる発電装置に関するものである。
【背景技術】
【０００２】従来発電は原子力、火力、水力と大規模な発電が主であるが、規模が大きい発電は多大な費用が掛かり簡易な発電には適さなかった。又エンジン等を使用した発電機があるが化石燃料等の使用が不可欠であり、環境汚染も増大することが危惧されている。
【発明の開示】
【発明が解決しようとする課題】
【０００３】発明が解決しようとする課題は自然の力を利用し小さな力で効率の良い発電を目指す物である。【０００４】そこで本発明の目的は自然の力を取り入れた効率の良い発電を行なう為、金属又は炭素繊維又は硬質樹脂によって形成した、中心軸の無い回転ドラムに圧力空気又は水流等の流体を注入し発電する。又磁場を形成する発電磁石を回転ドラムの浮力にも利用した簡易な発電装置である。
【課題を解決するための手段】
【０００５】前記目的を達成して課題を達成するため本発明に係るシャフトの無い発電装置は、回転ドラム内部に回転ブレードを取り付け、斜め横からの流体がブレードに回転圧力をかけドラムを回転させる。
【発明の効果】
【０００６】回転摩擦係数を小さくし、少ない外力で発電を可能にする為、本発明は回転ドラムに中心軸を設けず外力を中心から外側に向け伝達する。回転ドラムには中心からの外力を回転に変換するブレードが取り付けて有り、回転ドラムを回転させる。この回転ドラムに等間隔に並列した磁石を取り付け、磁石の回転と発電コイル間に磁場を発生させ発電する。又回転ドラムと発電コイルは非接触で回転ドラムは等間隔に配置したローラーによって保持され横の圧力とブレを防ぐ。
【発明を実施するための最良の形態】
【０００７】      以下、添付図面に基づいて本発明の実施例を説明する。
図１は、本発明に係るシャフトレスジェネレーター装置の一例を示す物である。この発電装置は金属又は樹脂で形成し８の回転ドラム受け架台に１の磁場発生金属で５の発電コイルを両面から挟み１０の回転ドラムに取り付けた永久磁石と５の発電コイルとの間に磁場を発生させる。【０００８】８の架台ユニットに１０の回転ドラム受け側面ローラー３と１４の回転ローラーによって１０の回転ドラムを回転させる。３と１４のローラーによって１０回転ドラムを抵抗無く回転させる。【０００９】１０の回転ドラムには２０の永久磁石Ｓ極と２５の永久磁石Ｎ極が取り付けて有り回転ドラムに磁極を逆転配置し１０の回転ドラムに等間隔に取り付けてある。【００１０】１０の回転ドラムには、１２の回転ブレードが取り付けて在り４０の流体導入管下部から供給される流体を回転モーメントに変え１０の回転ドラムが回転する。【００１１】１０の回転ドラムに取り付けている永久磁石２０及び２５の磁極逆転配列と１の磁場発生金属との間は非接触となっており、２０及び２５の永久磁石が１の磁場発生金属の下部面を通過する時発電する。【００１２】４０の斜め横から供給される流体は１２のブレードに回転モーメントを与え１０が回転する、又流体を排出する３０の回転ドラム排水口は回転ドラムの回転方向に沿って斜めカットされており流体効力が増す。
【産業上の利用可能性】
【００１３】以上説明したように本発明に係るシャフトレスジェネレーターは斜め横からの流体を回転動力とし、少ない流体で回転し効率よく発電できる。
又小型化によって小さな場所に設置し直列配置も可能である。
【図面の簡単な説明】
【００１４】
【図１】本発明に係るシャフトレスジェネレーター装置の一例を示す斜視図である。
【符号の説明】
【００１５】１    鉄心
３    回転ドラム受けローラー
５    コイル
８    架台
１０  回転ドラム本体
１２  ブレード
１４  鉄心コロ
２０〜２５  磁石Ｎ極〜Ｓ極
３０  回転ドラム排水口
４０  流体供給管
【図１】
2015220973.tif 000003
(57)【要約】      （修正有）【課題】太陽光パネルを太陽の動きに合わせ有効な動きをもって太陽光をとらえ電流に変換する回転式太陽光発電機を提供する。【解決手段】取付ベース１の上へ軸受け２を取付け、太陽光パネル５を取付カラー４へ集電用外輪６と共に取付け、シャフト３をセットし完成した太陽光発電ローラを軸受け２にセットする。取付ベース１にセットされた集電用ローラー７を集電用外輪６に圧接し集電可能の状態とする。太陽光発電ローラーと駆動機８とをチェーン１０等で連結し、太陽光発電ローラーが東西を向いて回転可能とする。【選択図】図２
2015220972.tif 000002
【特許請求の範囲】
【請求項１】
太陽光パネルの＋極−極をそろえ左右の取付カラーへ集電用外輪と共に取付。
シャフトをセットし完成した太陽光発電ローラを軸受にセットする。
取付ベースにセットされた＋極−極の集電用ローラーを集電用外輪に圧接し集電可能の状態とする。
太陽光ローラーと駆動機とをチェーン等で連結し回転可能な状態とする。
最も大事な事は太陽光発電ローラーが東西を向いていることである。
【発明の詳細な説明】
【技術分野】
【０００１】この発明は太陽光発電に関するものである。
【背景技術】
【０００２】従来の物は主として屋根や取り付け台等の上に太陽光パネルを固定した物が多かった。
【先行技術文献】
【特許文献】
【０００３】
【特許文献１】
【発明の概要】
【発明が解決しようとする課題】
【０００４】これは次の様な欠点があった。
太陽は東から出て西へ落ちるのが一般的な動きであるが、従来の方法であれば十分太陽光を受ける事は出来なかった。
【課題を解決するための手段】
【０００５】本発明は太陽光パネルを回転体の表面に取付け東西に向かって常に回転するようにしたものである。
【発明の効果】
【０００６】回転体が常に東西に回って回転しているので、パネルに対し十分な受光効果を与え、又回転速度を高める事で単位時間当たりの受光面積を高める事も出来る。
【図面の簡単な説明】
【０００７】
【図１】本発明の平面図である
【図２】本発明の側面図である。
【発明の実施するための形態】
【０００８】
【符号の説明】
【０００９】
【発明を実施するための形態】
【０００８】取付ベースの上へ軸受けを取付太陽光パネルと集電用外輪をセットし回転体としての太陽光パネルローラーを完成させる。
軸受け▲２▼の片側から出したシャフト▲３▼にスプロケットを取付ける。
又取付ベースの片側にセットとされた駆動機▲８▼のシャフト先端にも上記と同様にスプロケットを取付両者間をローラチェーンで連結する。
今▲８▼の駆動機に回転を与えると連動された太陽光パネルローラーも同様の回転をし太陽光を自由なスピードで受光する。
勿論この本体は東西に向く様にセットする。
障害物がある時は▲１１▼の延長パイプで高さを調整する。
太陽光パネルで受光した太陽光は＋極と−極に分かれるが、集電用外輪▲６▼と圧接した集電ローラ▲７▼▲７▼´で集電された電流はしかるべく装置に分配し目的の用途に供給される。
なお、太陽光パネル付ローラの回転は駆動機と直結しても差し支えない。
【符号の説明】
【０００９】▲１▼取付ベース
▲２▼軸受（左右）
▲３▼太陽光発電ローラーのシャフト
▲４▼太陽光パネル・集電用外輪の取付カラー
▲５▼太陽光パネル
▲６▼集電用外輪（太陽光パネルと導通）
▲７▼▲７▼´集電ローラー
▲８▼駆動機
▲９▼スプロケット
▲１０▼ローラチェーン
▲１１▼高さ調整用パイプ
【図１】
2015220972.tif 000003
【図２】
2015220972.tif 000004
(57)【要約】【課題】ボンディングパッドおよび表面配線の酸化を抑制する。【解決手段】ボンディングパットおよび表面配線を炭素膜で被覆する。通常ボンディングパットおよび表面配線は、アルミ（Ａｌ）、銅（Ｃｕ）などの金属から構成されているため樹脂保護膜と接すると酸化するが、炭素膜で被覆することで樹脂保護膜から解離した酸素をブロックできると同時に、炭素自身が還元作用を有するため、ボンディングパットや表面配線が酸化されても還元し、電気特性の変化を防ぎ、半導体装置の品質を保持することができる。【選択図】図３
2015220348.tif 000002
【特許請求の範囲】
【請求項１】
半導体基板上にボンディングパットと、これと接続する表面配線を有し、
ボンディングパットおよび表面配線が樹脂保護膜で被覆されている構造の半導体装置において、ボンディングパットおよび表面配線が、炭素で被覆されていることを特徴とする半導体装置。
【発明の詳細な説明】
【技術分野】
【０００１】
本発明は、ボンディングパットを具備する半導体装置の、ボンディングパットおよびボンディングパットと接続する表面の配線構造に関する。
【背景技術】
【０００２】
半導体装置においては、シリコン等からなる半導体基板（ウエハ）中にトランジスタ等の半導体素子が形成される。半導体装置の最上層においては、ボンディングパットおよびボンディングパットと繋がる表面配線が具備されている。半導体装置はパッケージ内に実装されて使用されるが、この際、パッケージ側に形成された端子と、半導体装置の配線層とを電気的に接続する必要がある。このため通常は、ボンディングパッドとパッケージの端子とが、ボンディングワイヤを介して接続される。
【０００３】
ボンディングパットおよび配線金属は、通常、アルミニウム（Ａｌ）、銅（Ｃｕ）などの金属で構成される。
【先行技術文献】
【特許文献】
【０００４】
【特許文献１】特開２０１３-２５１５６６
【発明の概要】
【発明が解決しようとする課題】
【０００５】
しかしながら従来技術では、ボンディングパッドおよびそれと接続する表面配線を、ポリイミド（(PI)、ポリベンゾオキサゾール（ＰＢＯ）などの樹脂系保護膜で被覆した場合、樹脂に接触する金属が樹脂から解離した酸素などによって酸化するという問題があった。
【０００６】
本発明は上記問題点を解決する発明を提供することを目的とする。
【課題を解決するための手段】
【０００７】
本発明は上記問題を解決すべく、以下に掲げる構成とした。本発明の半導体装置は、ボンディングパットおよびボンディングパットと接続する表面配線を有する構成において、ボンディングパットおよび表面配線を、炭素被膜で覆う構造を有する。
【発明の効果】
【０００８】
本発明によれば、ボンディングパットおよび表面配線を樹脂系保護膜で被覆した場合、樹脂による酸化を防ぐことができるため、配線の電気的特性の変動を少なく抑えることができ、信頼性の高い半導体装置を得ることができる。  
【図面の簡単な説明】
【０００９】
【図１】本発明の従来例に係わるボンディングパット断面を示す図である。
【図２】本発明の従来例に係わる表面配線の断面を示す図である。
【図３】本発明の実施例１に係わるボンディングパット断面を示す図である。
【図４】本発明の実施例１に係わる表面配線の断面を示す図である。
【発明を実施するための形態】
【００１０】
以下、本発明の実施の形態となる構造について説明する。図１は従来構造のボンディングパッドの断面図、図２は従来構造の表面配線の断面図である。また図３は本発明の実施例を示すボンディングパッドの断面図、図４は本発明の実施例を示す表面配線の断面図である。
【実施例１】
【００１１】
実施例１に係るボンディングパットの構造について説明する。図３に示されているようにシリコン基板１の上には絶縁膜２を介して、ボンディングパット３が形成されている。ボンディングパット表面は炭素膜４で覆われており、樹脂保護膜５と接している。炭素膜４によって樹脂分子から解離した酸素がボンディングパットを構成する金属の表面、配線金属の表面に到達するのを防げると同時に、炭素は酸化された銅（Ｃｕ）などの金属に対して還元作用を有するため、酸素が炭素被膜を通過してボンディングパット、配線金属に到達し、ボンディングパットおよび配線を構成する金属（Ｃｕなど）が酸化されても、還元することができる。炭素被膜としては表面積の大きい、非晶質炭素の膜が有効であり膜厚としては３００Åから３μｍの間の膜厚がデバイスに応力的なストレスを与えないために有効である。
【符号の説明】
【００１２】
１、シリコン基板
２、絶縁膜
３、ボンディングパッド、配線
４、炭素膜
５、樹脂保護膜
【図１】
2015220348.tif 000003
【図２】
2015220348.tif 000004
【図３】
2015220348.tif 000005
【図４】
2015220348.tif 000006
(57)【要約】【課題】  ネットワークカラオケシステムにおいて、同一機種のカラオケ機器に対して異なる楽曲を配信できるシステムを構築する。【解決手段】  センタサーバに接続され、楽曲データベースと端末データベースを持ち、双方のデータベースにあらかじめ設定されたフラグに基づいてカラオケ装置に楽曲を配信する。【選択図】図１
2015210401.tif 000002
【特許請求の範囲】
【請求項１】
ネットワーク経由でセンタサーバよりカラオケ端末装置に楽曲が配信されるネットワークカラオケシステムにおいて、
上記各カラオケ装置の端末データベースと、
カラオケ端末に配信する楽曲の楽曲データベースをもち、それぞれに共通の項目を付加することで、
センタサーバがカラオケ装置に対して楽曲データを送信する際、端末データベースと楽曲データベースに基づいて、当該端末に対応した楽曲群を特定して
配信することを特徴とするネットワークカラオケシステム。
【発明の詳細な説明】
【技術分野】
【０００１】
本発明は、専用サーバより楽曲を配信するネットワークカラオケシステムに関するものである。
【背景技術】
【０００２】
カラオケシステムがネットワーク化されて久しい。近年では、新曲はあっという間にセンタサーバからカラオケ店に配信されるようになって来ている。
【０００３】
一方、カラオケネットワークも、グローバル化しており、海外の店舗に楽曲を配信したいケースもある。
【０００４】
そこで問題になるのは著作権である。一般にネットワークカラオケで配信される楽曲は日本国内での著作権処理に対応しているが、著作権を含む知的財産権は属地主義がとられており、日本国内で著作権がクリアされていたとしても、他国での使用は権利侵害になる場合がある。
【０００５】
このため、日本国内にあるネットワークカラオケのサーバから海外のカラオケ店舗に楽曲を配信する場合、日本国内のカラオケ店舗と必ずしも同じ楽曲を配信するわけにはいかず、配信先によって配信する楽曲を変える必要がある。
【先行技術文献】
【特許文献】
【０００６】
【特許文献１】特開平８−２６３０７８号公報
【特許文献２】特許３１７８４６２号公報
【発明の概要】
【発明が解決しようとする課題】
【０００７】
特許文献１は、各店舗のカラオケ端末が備える曲目やシステムの機能を均一化し、利用者に対するサービスの向上を図ることができるというものであり、すべてのカラオケ端末で同一の楽曲にすることを目的としている。
【０００８】
特許文献２は、複数タイプのカラオケ装置が接続されても各カラオケ装置のタイプに適合した楽曲データを配信することができる楽曲データ配信装置を提供することを目的としており、カラオケ装置の機能によって再生できるコンテンツファイルの形式が異なることを考慮し、同じ楽曲でも形式の異なるファイルを提供する事を目的としている。
【０００９】
従来、楽曲配信はカラオケの機種ごとに制御してきたため、海外にカラオケ装置を持ち出す際、配信したい楽曲が異なる場合、同一機種にもかかわらず別機種扱いにする必要に迫られているのが現状である。前述のように特許文献１、特許文献２とも楽曲の配信を調整制御しようとするものではあるが、カラオケ装置への楽曲配信を楽曲毎に選択的に配信することを目的とするものではない。
【課題を解決するための手段】
【００１０】
本発明の請求項１は、ネットワーク経由でセンタサーバよりカラオケ端末装置に楽曲が配信されるネットワークカラオケシステムにおいて、
上記各カラオケ装置の端末データベースと、
カラオケ端末に配信する楽曲の楽曲データベースをもち、それぞれに共通の項目を付加することで、
センタサーバがカラオケ装置に対して楽曲データを送信する際、端末データベースと楽曲データベースに基づいて、当該端末に対応した楽曲群を特定して、
配信することを特徴とするものである。
【発明の効果】
【００１１】
本発明によれば、個々のカラオケ端末装置が同一機種であっても、いくつかの配信グループに分類することにより、カラオケ端末装置ごとに楽曲の選択配信が可能になる。
【図面の簡単な説明】
【００１２】
【図１】本発明のネットワーク構成を示した説明図である。
【図２】楽曲データベースの一例である。
【図３】配信グループデータベースの一例である。
【図４】カラオケ端末データベースの一例である。
【発明を実施するための形態】
【００１３】
図１に本発明のネットワーク構成図を示す。
【００１４】
また、図２には、楽曲データベース、図３には配信グループ、図４にはカラオケ端末データベースの例を示している。個々のカラオケ端末装置は、同一機種であってもいくつかの配信グループに分類でき、この配信グループは、カラオケ端末装置が設置される国や地域、チェーンの種類によるものであってもよい。図２の楽曲データベースは、個々の楽曲がどの配信グループで配信されるかを定義しており、図３は、各々の配信グループの意味を示すもので、管理・運用上の備忘目的のものである。
また、図４の端末データベースは、各々のカラオケ端末がとの配信グループに属するかを定義している。ここで、カラオケ端末a、カラオケ端末b、カラオケ端末c、カラオケ端末dにおいてそれぞれ、端末aが配信グループ１に、端末b、端末cは配信グループ２に、端末dは配信グループ３に分類されている。
【００１５】
ここで、図１のようなネットワークで配信が実行されると、カラオケ装置Ａには楽曲甲、楽曲乙、楽曲丁が、カラオケ装置Ｂ、カラオケ装置Ｃには楽曲甲、楽曲乙が、カラオケ端末Ｄには楽曲乙、楽曲丙がそれぞれ配信される。
【産業上の利用可能性】
【００１６】
本発明によれば、楽曲データベースのフラグの調整をすることにより、カラオケ端末装置ごとに違った楽曲を配信することができるようになり、著作権問題による国内外の楽曲の配信差だけでなく、カラオケ店の規模や料金体系などに合わせて歌唱できる楽曲数を変化させることなども可能となる。
【符号の説明】
【００１７】
１    楽曲データベース
２    配信グループ
３    端末データベース
４    カラオケ装置側ルータ
５    カラオケ専用ネットワーク
６    専用サーバ
７    専用サーバ側ルータ
【図２】
2015210401.tif 000003
【図３】
2015210401.tif 000004
【図４】
2015210401.tif 000005
【図１】
2015210401.tif 000006
(57)【要約】【課題】内側のスケルトン屋根だけで積雪に耐えられる強度【解決手段】スケルトン屋根を硬化する。【特許請求の範囲】
【請求項１】
宿泊するテントや車、施設・宿等や住まいや住居、家・マンションの屋根をスケルトン（透明）にする。スケルトン（透明）とは空洞でなく、雨風雪をしのげる透明なポリエチレンやガラスのような屋根のことです。
【発明の詳細な説明】
【技術分野】
【０００１】      宿泊するテントや車、施設・宿等や住居・居所、家・マンションの屋根をスケルトン（透明）にする。スケルトン（透明）とは空洞でなく、雨風雪をしのげる透明なポリエチレンやガラスのような屋根のことです［内側は固定式］。外側は従来からある閉鎖的な開閉式屋根がある２層構造がよい。
【発明の概要】
【発明が解決しようとする課題】      内側のスケルトン屋根だけで積雪に耐えられる強度。
【課題を解決するための手段】      スケルトンを硬化する。
【発明の効果】      外側の閉鎖的な屋根を開けると内側の固定式スケルトン屋根から、夜空を見上げるときらめく星の天然プラネタリウムが見渡せ、日中は天気の良い日には青空が見渡せ、雨の日でも部屋内でバーベキューが楽しめる。
(57)【要約】【課題】  キッチン洗い場の排水を容易にするため、鋼線等により加工した金具を提供する。【解決手段】  鉄線等を円形（１）、台形（２）のように加工し、（１）と（２）を組み合わせて、排水口用金具とした。  なお、本金具は、円柱型排水口用バスケット内面に、ネット等の密着を防止するため、（２）の底部で（１）の直径の２０％以上減寸し、隙間を設けたことと、十字形組み合わせのように、簡単な構造にしたことが特徴である。【選択図】図１
2015197039.tif 000002
【特許請求の範囲】
【請求項１】
鋼線等を円形（１）、台形（２）にのように加工し、底部（４）で十字交差にし（３）及び（４）で固定（締付け・溶接）した排水口用金具。
【発明の詳細な説明】
【技術分野】
【０００１】  この発明は、キッチン洗い場の排水口用バスケット内に鋼線等で加工した金具を入れ、布製ネット等を内側に入れて使用することにより、排水を容易にし、排水口内の汚れやヌメリを軽減させるための、排水口用金具に関するものである。
【背景技術】
【０００２】  従来の排水口は、円柱型（ずんどう）に作られた排水口用バスケット等の器具により、そのまま、又は内側にゴミ取りネット等を取り付けて使用していることが多いが、使用の経過ともに、ゴミが堆積したりネットの目詰まりが生じたりする事により、ネットがバスケットに密着するなどして、排水量が多い場合は、洗い場に排水が滞留し、完全に排水されるまで時間を要し、その結果、洗い場及び排水口内部の汚れとヌメリや悪臭発生の原因となっていた。
【先行技術文献】
【特許文献】
【０００３】
【特許文献１】
【発明の概要】
【発明が解決しようとする課題】
【０００４】  従来の排水口のゴミ取りは、円柱型で作られた出し入れの出来る器具（バスケット等）が使用され、側面は網目状、又は穴状になっており、使用にはそのまま、又は内側に布製ネット等を入れて使用しているが、使用の経過と共にゴミが堆積し、側面は穴詰まりと布製ネットの目詰まりにより、側面に密着するなどして、排水に時間を要し汚れとヌメリや悪臭が発生し、清掃に多くの時間と労力を費やすこととなっている。
本発明は排水口のバスケット内部に、鋼線等で加工した簡単な金具入れて使用することにより、側面へのネット等の密着を防止し、排水を容易にする事により、汚れとヌメリ、悪臭発生の防止と清掃労力を軽減すためなされたものである。
【課題を解決するための手段】
【０００５】  鋼線等を円形（１）、台形（２）のように加工し、（２）の底部は（１）の直径の２０％以上減寸とし、（２）を（４）で十字形に交差させ、（２）を（３）と（４）で固定（締付け・溶接）する。
本発明は、以上の通りの排水口用金具である。
【発明の効果】
【０００６】  排水口用金具は、鋼線等で加工した簡単な円形と台形の組み合わせによるもので、布製ネット等と同時に使用しても、排水口バスケット内面に布製ネット等が密着しないため、排水も容易になり、細かいゴミもキャッチし、汚れやヌメリと悪臭の発生を押さえるとともに、清掃労力及び布製ネット等の使用量を減らし、経済的負担の軽減と、洗い場の衛生保持にも貢献するものである。
【図面の簡単な説明】
【０００７】
【図１】本発明の斜視図である。
【図２】本発明の平面図である。
【図３】本発明の側面図である。
【発明を実施するための形態】
【０００８】  本発明を実施するための形態について説明する。
鋼線等を円形（１）を１個、台形（２）を２個加工し、台形を底部（４）で十字形交差にし、円形（１）の内側から接点（３）で外側に折り曲げ締め付けるか、（３）（４）の各接点を溶接等で固定する。
本発明は以上の構造である。
これを使用するには、排水口バスケットに排水口用金具を入れ、その内側に布製ネット等を入れ、ネットを排水口バスケット上部で、外側に折りたたんで包むようにして排水口に入れ、排水口上蓋（ゴム製品等で作られているもの）で押さえて使用すればよい。
【符号の説明】
【０００９】  １  円形加工
２  台形加工
３  円形・台形上部接点
４  台形底部接点
【図１】
2015197039.tif 000003
【図２】
2015197039.tif 000004
【図３】
2015197039.tif 000005
(57)【要約】      （修正有）【課題】ピンホール効果を持ち運動中も使えるメガネを提供する。【解決手段】光学中心を避けたところにピンホールレンズ２を設ける。ピンホール３をレンズ１やリムに設ける。そして運動して少しぐらいメガネがずれても、運転中でもかけておけるピンホールメガネとし、安価で使いやすいメガネを提供する。シールを交換したり色を変えてペイントしたり、ピンホールレンズ部を交換したりする事が出来るようにしてファッションにあわせたりしてお洒落なメガネを提供する。また非常に高価な遠近両用メガネを安価で提供する。【選択図】図１
2015197478.tif 000002
【特許請求の範囲】
【請求項１】
光学中心を避けたところにピンホールレンズを設けた事を特徴とする眼鏡。
【発明の詳細な説明】
【技術分野】
【０００１】
本発明は眼鏡の光学中心を避ける位置にピンホールを設けたことを特徴とする眼鏡に関するものである。        
【背景技術】
【０００２】
従来の眼鏡は物を見る時焦点を合わせる為、凸レンズ凹レンズを用いている。これらを組み合わせることもある。またピンホールを用いたメガネも有る。ピンホールレンズのメガネは読書などをする時には適しているが、運転やスポーツをするときには適していない。
【先行技術文献】
【特許文献】
【０００３】
【特許文献１】特許２５５６９８９号公報
【特許文献２】特開平０１-１５４０２２号公報
【発明の概要】
【発明が解決しようとする課題】
【０００４】
解決しようとする問題点はピンホール効果を持ち運動中も使えるメガネを提供することである。
【課題を解決するための手段】
【０００５】
本発明の第１の手段としてレンズの光学中心を避けた位置にピンホールを設けて他の部分は普通のレンズにしておく或いはフレームにピンホールを設けピンホールレンズとする。
【０００６】
或いはピンホールの有るレンズを通常のレンズに重ね移動出来るようにする。
【発明の効果】
【０００７】
本発明によれば通常物を見る時には穴のない光学中心で見、視線を動かす事によりピンホールを見ると物がはっきり見える。
【図面の簡単な説明】
【０００８】
【図１】図１はピンホールレンズ部を下側に設けたてある。
【図２】図２はピンホールレンズをスライドさせ光学中心に移動させた図である。
【図３】図3はピンホールレンズを回転可能とした図である。
【図４】図４は図３のピンホールレンズを回転させ光学中心に持ってきた図である。
【発明を実施するための形態】
【０００９】
実施の形態を図で示すと第１の手段としてレンズの光学中心でないところを遮光部としその中に穴を開けピンホール効果を持たせ構成する。
【実施例】
【００１０】
レンズの一部に遮光体とピンホールを設けピンホールレンズを設ける。このレンズは遮光体に穴を開けても良いしピンホール型に遮光体を塗布しても良い。またシール状にして貼り付けるようにすれば普通のレンズも簡単に本発明のメガネに改造できる。
【００１１】
またはピンホールの有るレンズを回転可能或いはスライド可能とするなどして移動できるようにする。通常は光学中心で物を見てピンホールレンズを使用する時は視線をずらす。
【産業上の利用可能性】
【００１２】
遠近両用メガネとして、サングラスとして使用するとゴルフ、釣り、ハイキング等で地図を見るあるいは糸の縺れをほぐす時などはっきり見える。
【符号の説明】
【００１３】
１  レンズ  ２  ピンホールレンズ  ３  ピンホール  ４  回転軸  
【図１】
2015197478.tif 000003
【図２】
2015197478.tif 000004
【図３】
2015197478.tif 000005
【図４】
2015197478.tif 000006
(57)【要約】【課題】  色彩の学習場面で、色の体系を学習する色相環を作成するために、幼児や児童が取り組みやすいよう筆を使わずに、円を三等分する位置に三点の穴が開いた輪型のスポンジペーパーにインクを吸水させることで混色し、完成するインク吸水型色相環を提供する【解決手段】  円を三等分する位置に三点の穴が開いた輪型のスポンジペーパー（１）に  スポンジペーパーの紙片（２）、（３）、（４）を  三点に挿着し、下方より赤、黄、青のインクを吸水するインク吸水型色相環を特徴とする。【選択図】図１
2015197675.tif 000002
【特許請求の範囲】
【請求項１】
（イ）円を三等分する位置に三点の穴が開いた輪型のスポンジペーパー（１）に  スポンジペーパーの紙片（２）、（３）、（４）を  三点に挿着する。
（ロ）三つのカップ（３）に赤、青、黄のインクを入れる。
（ハ）カップ（３）に組み立てたスポンジペーパー（２）の先を入れる。
（ニ）カップ（３）の各色のインクがスポンジペーパー（１）に吸水される。
以上の構成よりなる  インク吸水型色相環。
【発明の詳細な説明】
【技術分野】
【０００１】
【背景技術】
【０００２】  従来、色相環は、書物に描かれたもので学習するか、画用紙に実際に三原色を混色して作るものであった。また、色相環の教材として色の混色をし、実際の色の変化を見ながら色彩体系が理解できる教材が無い。
【発明の開示】
【発明が解決しようとする課題】
【０００３】  これは次のような欠点があった。
従来の色彩の学習では、色の体系を知るための色相環を学ぶためには、実際に赤、黄、青の三原色を画用紙上で混色しながら色相環を作る、また、書物で学習する方法があった。色相環作りは、水性絵の具や筆の扱いが幼児、児童では難しく教育効果が薄い。しかし、色相環の原理は、三原色の混色からなるものであり難しいものではない。水彩絵の具を多用し、色彩感覚が発達する幼児、児童の時期に容易に混色体験をし、色相環を簡単に理解できる教材が必要であるが、未だそのような教材は無い。
本発明は、以上のような欠点をなくすためになされたものである。
【課題を解決するための手段】
【０００４】円を三等分する位置に三点の穴が開いた輪型のスポンジペーパー（１）に  スポンジペーパーの紙片（２）、（３）、（４）を  三点に挿着する。
三つのカップに赤、青、黄のインクを入れる。カップに組み立てたスポンジペーパーの先を入れる。カップの各色のインクがスポンジペーパー（１）に吸水される。
本発明は、以上の構成よりなる  インク吸水型色相環である。
【発明の効果】
【０００５】  赤、黄、青の三原色の混色体験を容易に体験できる。
色の理解に役立つ色相環を誰でも容易に作ることができる。
吸水媒体にスポンジペーパーを使用することで、平面が立体へ変化するため、興味・関心を引くことができる教材である。
※スポンジペーパーは水に浸すと１．３ｍｍのシートが１５ｍｍにスポンジのように膨らむ素材。
【発明を実施するための最良の形態】
【０００６】  以下、本発明を実施するための最良の形態について説明する。
円を三等分する位置に三点の穴が開いた輪型のスポンジペーパー（１）に  スポンジペーパーの紙片（２）（３）（４）を  三点に挿着すると、五徳型のスポンジペーパーができる。
本発明は、以上のような構造でこれを使用するときは、三つのカップに赤、青、黄のインクを入れる。インクの入った各カップに組み立てた五徳型のスポンジペーパーを入れる。各カップのインクが五徳型のスポンジペーパーに吸水され、円を三等分する位置に三点の穴が開いた輪型のスポンジペーパー（１）に吸水される。インク吸水後、スポンジペーパーの紙片（２）（３）（４）を外し、スポンジペーパー（１）に吸水された色の境界を摘まむ、放す、を繰り返すと混色される。その結果、三原色の混色の変化を見ながら、立体の色相環が完成する。
【図面の簡単な説明】
【０００７】
【図１】本発明の分解斜視図である。
【図２】本発明の斜視図である。
【図３】本発明の使用後（インク吸水後）の斜視図である。
【符号の説明】
【０００８】１、円を三等分する位置に三点の穴が開いた輪型のスポンジペーパー
２、スポンジペーパーの紙片
３、スポンジペーパーの紙片
４、スポンジペーパーの紙片
【図１】
2015197675.tif 000003
【図２】
2015197675.tif 000004
【図３】
2015197675.tif 000005
(57)【要約】      （修正有）【課題】演奏時に高度な演奏技術を使用した音程修正を必要とせず、奏法に合わせて演奏しやすいように短時間で調節できる調節機能を設けた竹製横笛を、従来使用できなかった短い竹材を使用し、提供する。【解決手段】横笛の歌口１と歌口に最も近い指孔２の間に歌口接続部３を設け、歌口から３番目の指孔８と歌口から４番目の指孔９の間に指孔接続部７を設け、歌口側の端にねじ式の反射壁調節機能４、５、６を設ける。【選択図】図２
2015197674.tif 000002
【特許請求の範囲】
【請求項１】
竹製横笛の歌口（１）と歌口に最も近い指孔（２）の間に接続部（３）を設け、歌口から３番目の指孔（８）と歌口から４番目の指孔（９）の間に指孔接続部（７）を設け、歌口側端部に反射壁調節機能（４）（５）（６）を設けた調節機能付き篠笛。
【発明の詳細な説明】
【技術分野】
【０００１】    この発明は音程及び奏法調節機能を取り付けた竹製横笛に関するものである。
【背景技術】
【０００２】    従来、竹製横笛には音程及び奏法調節機能が付属しておらず、入手が難しい長い竹材が必要だった。
【先行技術文献】
【特許文献】
【０００３】
【特許文献１】
【発明の概要】
【発明が解決しようとする課題】
【０００４】イ）従来、温度、湿度等、空気密度の変化に因る楽器の音程の変化に対し、息の強さとメ    リ吹き（歌口の淵に唇を近づける）カリ吹き（歌口の淵から唇を遠ざける）を使い音    程を調節していたが調節可能範囲が狭く、高い技術が要求された。
ロ）従来、オクターブ比の調整及び演奏時に強調する音域を決定する為の反射壁の位置調    節には手間がかかった。
ハ）従来、指孔の角度調節は行えなかった。
ニ）従来、竹製横笛の製作には特定の太さで長い節間の竹材が必要だった。
本発明は、以上のような欠点をなくすためになされたものである。
【課題を解決するための手段】
【０００５】  横笛の歌口（１）と歌口に最も近い指孔（２）の間に歌口接続部（３）を設ける。歌口から３番目の指孔（８）と歌口から４番目の指孔（９）の間に指孔接続部（７）を設ける。横笛の歌口側の端にねじ式の反射壁調節機能（４）、（５）、（６）を設ける。
本発明は、以上の構成よりなる調節機能付き竹製横笛である。
【発明の効果】
【０００６】イ）音程調節機能が付属しているため、演奏の合間などの短時間に音程の調節ができる。
ロ）奏法に適する歌口角度の調節機能が付属しているため、任意の角度に歌口を調節でき    る。
ハ）反射壁調節機能が付属しているため、オクターブ比及び強調したい音域の調節ができ    る。
ニ）左右それぞれの手で押さえる指孔角度を調節できるため、任意の角度に指孔角度を調    節できる。
ホ）分割して製造する事が可能となり、短い竹材を使用できる。
【図面の簡単な説明】
【０００７】
【図１】本発明の斜視図（全体図）である。
【図２】本発明の断面図である。
【図３】本発明の斜視図（音程調節機能使用時）である。
【図４】本発明の斜視図（歌口角度調節機能使用時）である。
【図５】本発明の斜視図（指孔角度調節機能使用時）である。
【発明を実施するための形態】
【０００８】  以下、本発明を実施するための形態について説明する。
横笛を歌口（１）を含む部分、歌口に最も近い指孔（２）と歌口から３番目の指孔を含む部分、歌口から４番目の指孔を含む部分に分ける。
歌口（１）と歌口に最も近い指孔（２）の間に歌口接続部（３）を設け、横笛の歌口（１）を含む部分と歌口に最も近い指孔（２）を含む部分を接続する。
歌口から３番目の指孔を含む部分（８）と歌口から４番目の指孔を含む部分（９）の間に指孔接続部（７）を設け、歌口から３番目の指孔を含む部分（８）と歌口から４番目の指孔を含む部分（９）を接続する。
横笛の歌口側端部にねじ式ノブ（４）を取り付け、ボルト（５）を貫通させる。ボルトの歌口端部に反射壁（６）を取り付ける。
本発明は以上のような構造である。
これを使用するときは、歌口接続部（３）から横笛の歌口（１）を含む部分と歌口に最も近い指孔（２）を含む部分を抜き差しし、音程の調節をする。転調など大幅に変更する場合には、適した音程の歌口に最も近い指孔（２）を含む部分、及び歌口から４番目の指孔（９）を含む部分を差し替える。
歌口接続部（３）を介し歌口（１）を含む部分及び歌口に最も近い指孔（２）を含む部分をひねる事により歌口に最も近い指孔（２）に対する歌口（１）の角度を変え、奏者、奏法に適した歌口角度に調節をする。
指孔接続部（７）を介し歌口から３番目の指孔（８）及び歌口から４番目の指孔（９）を含む部分をひねる事により歌口から３番目の指孔（８）に対する歌口から４番目の指孔（９）を含む部分の角度を変え、奏者、奏法に適した指孔角度に調節をする。
ノブ（４）の操作により反射壁（６）を移動させオクターブ比、強調したい音域及び音のバランスを調節する。
【符号の説明】
【０００９】  １  歌口
２  歌口に最も近い指孔
３  歌口接続部
４  ノブ
５  ボルト
６  反射壁
７  指孔接続部
８  歌口から３番目の指孔
９  歌口から４番目の指孔
【図１】
2015197674.tif 000003
【図２】
2015197674.tif 000004
【図３】
2015197674.tif 000005
【図４】
2015197674.tif 000006
【図５】
2015197674.tif 000007
(57)【要約】      （修正有）【課題】ティッシュ箱が空気清浄器の上面に置いてあってもティシュペーパーをティシュ箱から引き抜くときに室内空間に飛散する粉塵を清浄化することができ、またティシュ箱と空気清浄器を一体で移動可能なように空気清浄器を構成する。【解決手段】本体１の上面部分を、上面外周部分５と、上面外周部分５の内側にあって上面外周部分５より低い位置に設けた載置面部分６と、これら二つの部分をつなぐ傾斜面部分７とによって構成し、載置面部分６に乗せたティシュ箱１０からティシュペーパー１１を引き抜くときに発生する粉塵を、上面外周部分５と、載置面部分６と、傾斜面部分７に設けた通風のための吸込口８から送風装置２によって本体１内に吸引し、集塵装置３によって清浄化して吹出口４から室内に戻す構造とする。【選択図】図２
2015197291.tif 000002
【特許請求の範囲】
【請求項１】
本体の上面部分は、上面外周部分と、上面外周部分の内側にあって上面外周部分より低い位置に設けられた載置面部分と、これら二つの部分をつなぐ傾斜面部分とによって構成され、上面外周部分、載置面部分、傾斜面部分の少なくとも一つの部分には通風のための吸込口を設けたことを特徴とする空気清浄機。
【請求項２】
載置面部分に突起部を設けたことを特徴とする請求項１記載の空気清浄機。
【発明の詳細な説明】
【技術分野】
【０００１】    本発明は、室内の空気を清浄化する空気清浄機に関するものであり、従来の空気清浄機としての機能に、ティシュペーパーをティシュ箱から引き抜くときに発生する粉塵を吸引し、清浄化する機能を加えたものである。
【発明の概要】
【発明が解決しようとする課題】
【０００２】    ティシュペーパーをティシュ箱から引き抜くときには、多くの粉塵が室内空間に飛散し、浮遊するが、時間の経過とともに、これらの粉塵は床面だけでなく、その他あらゆる家具等に沈着し、掃除が必要となるばかりでなく、一部は人体内に吸入されて健康上の被害も考えられる。【０００３】    これらの粉塵が室内空間に飛散するのを軽減させる方法としては、空気清浄機の吸込口の近くにティシュ箱を置き、空気清浄機を運転した状態でティシュペーパーを引き抜けば、室内空間に飛散する粉塵の一部は空気清浄機内に取り込まれ、空気は清浄化される。【０００４】    この状態について図５をもとにして説明すると、空気清浄機１０１を運転し空気清浄機の吸込口１０５の近くにティシュ箱１０６を置いてティシュペーパー１０７を引き抜くと、そのとき発生した粉塵は送風装置１０２によって吸込口１０５から空気清浄機１０１内に吸引され通風経路内に設けられた集塵装置１０３によって清浄化されて吹出口１０４から室内に戻される。【０００５】    ただし、この方法ではティシュ箱１０６が床面の上など、低い位置にあるため、ティシュペーパー１０７を引き抜くときに使い勝手が悪く、また、空気清浄機１０１を移動するときにはティシュ箱１０６も改めて移動しなければならず、更には、床の掃除のときはティシュ箱１０６が邪魔になるなどの問題があった。
【課題を解決するための手段】
【０００６】    以下に本発明の第１実施例を図１〜３を参照しながら説明する。本発明の目的を達成するための手段は、本体１に内蔵された送風装置２、送風装置２の吸気側通風路に設けられた集塵装置３と、本体上面部分にティシュ箱を載置できる手段を備えた吸込口８と、清浄化された空気を室内に戻すための吹出口４とを備えた構成としたものである。【０００７】    空気清浄機の本体１の上面部分は、上面外周部分５と、上面外周部分５の内側にあって上面外周部分５より低い位置に設けられた載置面部分６と、これら二つの部分をつなぐ傾斜面部分７により構成される。【０００８】    さらに、これら上面外周部分５、載置面部分６、傾斜面部分７には吸込口８を複数個設けてある。【０００９】    載置面部分６はティシュ箱１０を置くための部分であり、通常市販されているティシュ箱が載置可能な大きさであればよい。【００１０】    次に、動作について説明すると、空気清浄機を運転した状態で、載置面部分６に乗せたティシュ箱１０からティシュペーパー１１を引き抜くと、そのとき発生した粉塵は空気とともに吸込口８から送風装置２によって空気清浄機の本体１内に取り込まれ、途中、集塵装置３によって清浄化されて吹出口４から室内に戻される。【００１１】    次に本発明の第２実施例について、図４を参照しながら説明する。第２実施例は第１実施例に記述した載置面部分６に突起部９を設けたものである。【００１２】  この突起部９は、ティシュ箱１０と載置面部分６との間に空間を確保し、通過風量をより多くすることによって、集塵効率を上げるためのものである。【１０１３】    以上の説明で明らかなように、本発明によれば、ティシュ箱１０を空気清浄機の本体１の上面部分に載置することにより、その近くに吸込口８を設けてあるので、ティシュペーパー１１を取り出すときに発生する粉塵を集塵することができると同時に、ティシュ箱１０が使いやすい高さの位置にあるので、ティシュペーパー１１を取り出すのに便利であり、更に、空気清浄機を移動したときには、ティシュ箱１０も同時に移動するので、掃除の際には便利であるなどの効果のある空気清浄機を提供できる。【１０１４】    以上、本発明を実施するための形態を記述したが、本発明は記述の実施形態に限定されるものではなく、技術思想に基づいた変更が可能である。例えば、上面外周部分５及び載置面部分６は必ずしも水平である必要はなく、傾斜していてもよく、本体１の上面部分にティシュ箱１０を載置可能な構造を有し、その近傍に吸込口８を有している空気清浄機であれば、本発明の技術思想の範囲である。また、吸込口８の形状は長方形に限定されるものではない。
【図面の簡単な説明】
【図１】本発明の第１実施例の空気清浄機の断面図
【図２】本発明の第１実施例の空気清浄機の動作説明図
【図３】同斜視図
【図４】本発明の第２実施例の空気清浄機の断面図
【図５】従来の空気清浄機の断面図
【符号の説明】
【符号の説明】１  本体
２  送風装置
３  集塵装置
４  吹出口
５  上面外周部分
６  載置面部分
７  傾斜面部分
８  吸込口
９  突起部
１０  ティシュ箱
１１  ティシュペーパー
【図１】
2015197291.tif 000003
【図２】
2015197291.tif 000004
【図３】
2015197291.tif 000005
【図４】
2015197291.tif 000006
【図５】
2015197291.tif 000007